(57)【要約】【課題】  セキュリティシステムの解除を行う解除操作者が、正当な解除許可者であっても全面的な解除が適当でない場合や、解除非許可者による不当なシステム解除に対応可能な高度なセキュリティ機能を有するセキュリティシステムを提供する。【解決手段】  １または複数のセキュリティ状態の一部または全部に対するセンサ１２の検知機能を解除する解除操作者の個人認証入力を受け付ける解除入力部２、センサ１２を含む１または複数の機器の一部または全部に対する解除操作後のオンオフ設定状態を予め登録された解除許可者別及び機器別に記憶する解除システム記憶部３、オンオフ設定状態を１または複数の機器の一部または全部に対して解除許可者別及び機器別に設定する解除システム設定部４、及び、個人認証入力に基づいて解除操作者の照合を行い解除操作者が解除許可者である場合に、オンオフ設定状態に基づく各機器のオンオフ制御を行う解除制御部５を備える。【選択図】  図１
2006024052.tif 000002
【特許請求の範囲】
【請求項１】
１または複数のセキュリティ状態を各別に検知する１または複数のセンサから前記セキュリティ状態を各別に示す状態信号を受け付け、前記状態信号により前記セキュリティ状態の異常を検知した場合に、当該異常状態を示す異常状態検知信号を外部に自動発信するセキュリティシステムの制御装置であって、
前記１または複数のセキュリティ状態の一部または全部に対する前記センサの検知機能を解除する解除操作者の個人認証入力を受け付ける解除入力部と、
前記センサを少なくとも含む１または複数の機器の一部または全部に対する解除操作後のオンオフ設定状態を予め登録された解除許可者別及び前記機器別に記憶する解除システム記憶部と、
前記オンオフ設定状態を前記１または複数の機器の一部または全部に対して前記解除許可者別及び前記機器別に設定し、前記解除システム記憶部に登録する解除システム設定部と、
前記解除入力部が受け付けた前記個人認証入力に基づいて前記解除操作者が前記解除許可者であるか否かの照合を行い、前記解除操作者が前記解除許可者に合致した場合に、前記オンオフ設定状態に基づいて、前記各機器をオンまたはオフにするオンオフ制御を行う解除制御部と、
を備えてなることを特徴とするセキュリティシステムの制御装置。
【請求項２】
前記オンオフ設定状態は、前記１または複数の機器の一部または全部に対して、解除操作時の所定の状況別に設定可能であることを特徴とする請求項１に記載のセキュリティシステムの制御装置。
【請求項３】
前記機器が複数の場合、前記センサの他に、電気錠、空調機器、照明機器、通信機器、給湯機器の内の少なくとも何れか１つを含むことを特徴とする請求項１または２に記載のセキュリティシステムの制御装置。
【請求項４】
前記解除操作者による解除操作手順を検出する解除操作検出部を備え、
前記解除システム設定部は、前記解除操作手順を設定し、前記解除システム記憶部に登録可能に構成され、
前記解除システム記憶部は、前記解除操作手順を記憶可能に構成され、
前記解除制御部は、前記解除操作者が前記解除許可者に合致した場合の前記オンオフ制御を、前記解除操作検出部が検出した解除操作手順と前記解除システム記憶部に記憶された解除操作手順の照合を行い前記両解除操作手順が合致した場合に行うことを特徴とする請求項１〜３の何れか１項に記載のセキュリティシステムの制御装置。
【請求項５】
前記解除操作手順は、前記解除許可者別に設定、記憶、及び、照合可能であることを特徴とする請求項４に記載のセキュリティシステムの制御装置。
【請求項６】
前記解除操作手順の照合において前記両解除操作手順が合致しなかった場合に、前記解除操作者が前記解除許可者でないと判定する異常解除検知信号を外部に自動発信することを特徴とする請求項４または５に記載のセキュリティシステムの制御装置。
【請求項７】
前記解除入力部は、ＩＣタグから前記個人認証入力を受け付けることを特徴とする請求項１〜６の何れか１項に記載のセキュリティシステムの制御装置。
【発明の詳細な説明】
【技術分野】
【０００１】
本発明は、１または複数のセンサから夫々が検知するセキュリティ状態の状態信号を受け付け、その状態信号によりセキュリティ状態の異常を検知した場合に、当該異常状態を示す異常状態検知信号を外部に自動発信するセキュリティシステムの制御装置に関し、詳しくは、解除操作者の個人認証入力に基づいてセキュリティシステムの解除操作を行うセキュリティシステムの制御装置に関する。
【背景技術】
【０００２】
この種のセキュリティシステムの制御装置としては、例えば、下記特許文献１に開示されているように、人感知センサ、ガス漏れセンサ、温度センサ、煙感知センサ、照明センサ、及び、ロックセンサ等の種々のセキュリティ状態を検知するセンサを備え、家屋内に設置されたパーソナルコンピュータで構成された制御装置に、入出力インターフェースを介して各センサが接続され、外部との通信接続用のモデムやターミナルアダプタ等の通信インターフェースが接続され、その通信インターフェースと公衆電話回線や携帯電話回線を介して、当該家屋の住人の携帯電話や警備会社のサーバコンピュータ等の外部通信装置と接続可能に構成されているものがある。
【０００３】
また、近年において、ＩＣタグ等のデータ記憶機能、データ処理機能、及び、通信機能を備えた小型電子装置が開発され、個人認証や個体認証用途等で広く利用されている。上記のセキュリティシステムにおいても、ＩＣタグ等の小型電子装置を用いて、セキュリティシステムの警戒レベルを解除するとともに、インターネット等の通信網を利用して警備会社や外部の家族等が在宅状況等を把握できるセキュリティシステムも実施されている。
【特許文献１】特開２０００−２５１１８１号公報
【発明の開示】
【発明が解決しようとする課題】
【０００４】
しかしながら、従来のセキュリティシステムでは、ＩＣタグに記憶された個人識別情報を用いて解除操作を行えば、誰が当該操作を行っても全てのセキュリティシステムが解除されてしまう。
【０００５】
また、セキュリティシステムの解除を行う解除操作者が、たとえ正当な解除許可者、例えばセキュリティシステムの対象となる家の住人であっても、当該解除操作者が子供や高齢者である場合は、全てのセキュリティシステムが無条件に解除されてしまうと、十分なセキュリティが確保されない虞がある。
【０００６】
更に、押入り強盗やＩＣタグの盗難等によって不当にセキュリティシステムが解除された場合は、当該異常事態を速やかに検知して警備会社や外部の家族等に報知する必要がある。しかし、従来のシステムでは、当該不当なシステム解除に対する対応がなされていなかった。
【０００７】
本発明は、上述の問題点に鑑みてなされたものであり、セキュリティシステムの解除を行う解除操作者が、正当な解除許可者であっても全面的な解除が適当でない場合や、解除非許可者による不当なシステム解除に対応可能な高度なセキュリティ機能を有するセキュリティシステムを提供することを目的とする。
【課題を解決するための手段】
【０００８】
この目的を達成するための本発明に係るセキュリティシステムの制御装置の第一の特徴構成は、１または複数のセキュリティ状態を各別に検知する１または複数のセンサから前記セキュリティ状態を各別に示す状態信号を受け付け、前記状態信号により前記セキュリティ状態の異常を検知した場合に、当該異常状態を示す異常状態検知信号を外部に自動発信するセキュリティシステムの制御装置であって、前記１または複数のセキュリティ状態の一部または全部に対する前記センサの検知機能を解除する解除操作者の個人認証入力を受け付ける解除入力部と、前記センサを少なくとも含む１または複数の機器の一部または全部に対する解除操作後のオンオフ設定状態を予め登録された解除許可者別及び前記機器別に記憶する解除システム記憶部と、前記オンオフ設定状態を前記１または複数の機器の一部または全部に対して前記解除許可者別及び前記機器別に設定し、前記解除システム記憶部に登録する解除システム設定部と、前記解除入力部が受け付けた前記個人認証入力に基づいて前記解除操作者が前記解除許可者であるか否かの照合を行い、前記解除操作者が前記解除許可者に合致した場合に、前記オンオフ設定状態に基づいて、前記各機器をオンまたはオフにするオンオフ制御を行う解除制御部と、を備えてなる点にある。
【０００９】
上記第一の特徴構成によれば、オンオフ制御の対象機器がセンサの場合、解除操作者が正当な解除許可者であっても解除操作者別に解除操作後にオフとなるように設定されたセンサ以外のセンサは依然としてセキュリティ状態の検知機能が維持されるため、解除操作者別に段階的なセキュリティレベルが設定でき、きめ細かなセキュリティ監視が可能となる。具体的には、例えば、解除操作者が子供の場合は、当該子供が通常使用する部屋以外の部屋内の人の存在を検知する人体感知センサや、当該部屋の窓等に設置されたマグネットセンサは検知機能を解除せずにオン状態とすることで、大人の解除操作者が帰宅するまでの間、一定のセキュリティレベルを確保することが可能となる。
【００１０】
また、オンオフ制御の対象機器がセンサ以外の場合、解除操作者の解除操作後の行動パターンに応じて利用する機器を自動的にオンまたはオフすることで、わざわざ解除操作者が当該機器の操作を手動で行う手間が省ける。例えば、解除操作者が玄関で解除操作を行った場合、それが仮に夜間である場合は、廊下、居間、キッチン等の照明をオンにし、夏期または冬期であれば、居間やキッチンの空調機器をオンにする制御を行うことで、より快適な生活をサポートできる。
【００１１】
更に、本特徴構成によれば、例えば、自動的にオンオフ制御する機器の一部を子供等の特定の解除操作者が操作しないように強制的にオフまたはオンにすることで、大人が不在時のセキュリティをより効果的に確保することが可能となる。具体的には、例えば、インターフォンはオフにすることで外来者と子供との間の不用意な通信を防止し、或いは、電話機の留守電機能（自動着信応答及び受信音声記録機能）をオンにしておくことで、着信電話を確実に記録できるようにすることができる。
【００１２】
同第二の特徴構成は、上記第一の特徴構成に加え、前記オンオフ設定状態は、前記１または複数の機器の一部または全部に対して、解除操作時の所定の状況別に設定可能である点にある。
【００１３】
上記第二の特徴構成によれば、オンオフ制御の対象機器がセンサの場合は、解除操作者とその解除操作時の状況に適した段階的なセキュリティの解除レベルを設定できる。例えば、解除操作者が大人であっても、解除操作が深夜の帰宅時であった場合は、各窓に設置されたマグネットセンサは検知機能を解除せずに動作状態とすることで、再度、就寝前にセキュリティレベルを変更する手間が省ける等の利点がある。
【００１４】
更に、オンオフ制御の対象機器がセンサ以外の場合では、解除操作者とその解除操作時の状況に適した機器のオンオフ制御が可能となるため、例えば、解除操作者が大人であっても、解除操作時が昼間と夜間で、照明器具のオンオフ制御を異ならせたり、季節により空調機器のオンオフ制御を異ならせたりすることができる。
【００１５】
同第三の特徴構成は、上記第一または第二の特徴構成に加え、前記機器が複数の場合、前記センサの他に、電気錠、空調機器、照明機器、通信機器、給湯機器の内の少なくとも何れか１つを含む点にある。
【００１６】
上記第三の特徴構成によれば、オンオフ制御の対象となる機器が電気錠の場合は、解除操作後に、解除操作者や解除操作時の状況等に応じた当該電気錠の施錠または開錠が自動的に行われるため、例えば、解除操作者が子供の場合に、解除操作後に自動的に玄関の施錠を行うことでセキュリティ性が向上する。また、オンオフ制御の対象となる機器が空調機器、照明機器、或いは、給湯機器等の場合は、例えば、解除操作者が、最初の帰宅者や単身者の場合に、当該機器が解除操作時に自動的にオンになることで、生活の快適性が向上する。更に、オンオフ制御の対象となる機器が通信機器の場合は、解除操作後に、解除操作者や解除操作時の状況等に応じた当該通信機器のオンオフ制御が自動的に行われるため、例えば、大人が帰宅して解除操作した後に、自動的に電話機の留守電機能による録音を再生したり、或いは、着信電話の携帯電話への自動転送機能を停止したりできる。また、解除操作者が子供の場合は、留守電機能や着信電話の携帯電話への自動転送機能をそのまま維持することで、例えば、小さな子供が不用意に着信電話に出たりするのを防止できる。
【００１７】
同第四の特徴構成は、上記何れかの特徴構成に加え、前記解除操作者による解除操作手順を検出する解除操作検出部を備え、前記解除システム設定部は、前記解除操作手順を設定し、前記解除システム記憶部に登録可能に構成され、前記解除システム記憶部は、前記解除操作手順を記憶可能に構成され、前記解除制御部は、前記解除操作者が前記解除許可者に合致した場合の前記オンオフ制御を、前記解除操作検出部が検出した解除操作手順と前記解除システム記憶部に記憶された解除操作手順の照合を行い前記両解除操作手順が合致した場合に行う点にある。
【００１８】
上記第四の特徴構成によれば、押入り強盗やＩＣタグの盗難等によって不当にセキュリティシステムが解除された場合であっても、解除許可者でない者の解除操作が、解除システム記憶部に予め登録された解除操作手順と異なる手順で行われると、当該解除操作者が解除許可者でない、或いは、解除許可者が第三者に強制されて不当になされたと判別できるため、解除許可者でない者によってセキュリティシステムが不当に解除されるのを防止できる。従って、室内の人体感知センサ等が依然として検知機能を維持しているため、侵入者を検知して異常状態検知信号を外部に自動発信することができ、セキュリティが確保される。
【００１９】
同第五の特徴構成は、上記第四の特徴構成に加え、前記解除操作手順は、前記解除許可者別に設定、記憶、及び、照合可能である点にある。
【００２０】
上記第五の特徴構成によれば、解除操作手順が解除許可者別に設定できることから、解除操作者毎に異ならせることで、容易に第三者に解除操作手順が知れる可能性が低くなり、セキュリティ性が向上する。また、解除操作手順を解除操作者の能力等に合わせて設定できるため、例えば、解除操作後のセキュリティレベルに合わせて、例えば、子供の解除操作手順は簡易なものに設定することが可能となる。
【００２１】
同第六の特徴構成は、上記第四または第五の特徴構成に加え、前記解除操作手順の照合において前記両解除操作手順が合致しなかった場合に、前記解除操作者が前記解除許可者でないと判定する異常解除検知信号を外部に自動発信する点にある。
【００２２】
上記第六の特徴構成によれば、セキュリティシステムの本来の異常検知機能が侵入者を検知して異常状態検知信号を外部に自動発信する前に、解除操作者が解除許可者でない、或いは、解除許可者が第三者に強制されて不当に解除操作がなされたと判定して異常解除検知信号を外部に自動発信することが可能であるため、当該異常事態に対するより迅速な対応が可能となる。
【００２３】
同第七の特徴構成は、上記何れかの特徴構成に加え、前記解除入力部は、ＩＣタグから前記個人認証入力を受け付ける点にある。
【００２４】
上記第七の特徴構成によれば、個人認証にＩＣタグを利用するため、仮にＩＣタグを紛失しても、新たな個人認証データを入力したＩＣタグを再発行することで、紛失したＩＣタグを無効化でき、セキュリティ性を確保することができる。また、ＩＣタグに記憶している個人認証データを定期的に変更すること、或いは、個人認証データに有効期限を設定することで、更に、セキュリティ性を向上できる。
【発明を実施するための最良の形態】
【００２５】
本発明に係るセキュリティシステムの制御装置（以下、適宜「本発明装置」という。）の実施の形態につき、図面に基づいて説明する。本実施形態では、一般家庭、事務所、店舗等で利用可能なホームセキュリティシステムを想定して説明する。
【００２６】
〈第１実施形態〉
本発明装置１０は、図１に示すように、１または複数のセンサ１２から夫々が検知するセキュリティ状態の状態信号ＳをＬＡＮ等のコンピュータネットワーク１１を介して受け付け、その状態信号Ｓによりセキュリティ状態の異常を検知した場合に、当該異常状態を示す異常状態検知信号Ｄを外部に自動発信するセキュリティシステム１の制御装置であって、解除入力部２、解除システム記憶部３、解除システム設定部４、解除制御部５、解除操作検出部６、センサインターフェース部７、異常状態検知部８、及び、通信インターフェース部９を備えて構成される。尚、本実施形態では、セキュリティシステム１の使用者（システム使用者）として、セキュリティシステム１が設置されている住居の居住者を想定し、１または複数の居住者が存在する場合を想定する。本実施形態では、各システム使用者は、夫々に固有のシステム解除権限をもってセキュリティシステム１の警戒解除を行える解除許可者である。また、１または複数のセンサ１２としては、住居内の各居室、玄関等の出入口、廊下等に設けた人体感知センサ（パッシブセンサ等）、住居の窓や出入口の開閉状態を検知するマグネットセンサ等の防犯センサを想定するが、ガス漏れセンサや火災センサを含んでいても構わない。
【００２７】
本発明装置１０は、各センサ１２から受け付けた状態信号Ｓによりセキュリティ状態の異常を検知し、当該異常状態を示す異常状態検知信号Ｄを外部に自動発信する以外に、コンピュータネットワーク１１に接続する電子錠等の１または複数のセキュリティ機器１３、及び、照明機器、空調機器、通信機器、給湯機器等の１または複数の家庭用機器１４に対して、解除操作における解除操作者や解除操作時の状況に応じたオンオフ制御も自動的に行う。
【００２８】
解除入力部２は、１または複数のセンサ１２によるセキュリティ状態の検知を解除する解除操作者の個人認証入力を受け付ける。解除操作者は、正常な解除操作においてはシステム使用者（解除許可者）であるが、第三者の場合もあり得る。個人認証入力用の個人認証データＥは、システム使用者が所持するＩＣタグ２０に予め登録されており、解除入力部２に設けられたＩＣタグインターフェース（図示せず）を介して解除入力部２内に読み込まれる。ＩＣタグインターフェースとＩＣタグ２０間のデータ通信の通信方式は、無線方式及び有線方式の何れであっても構わない。但し、有線方式の場合、つまり接触式ＩＣタグの場合は、ＩＣタグインターフェースとしてＩＣタグ２０の入出力端子と接触してデータの授受を行うＩＣタグ用ターミナルを設け、解除操作者は解除操作の度にＩＣタグ２０を当該ＩＣタグ用ターミナルに接触させる必要が生じる。ＩＣタグ２０を例えば玄関扉の電子錠のキーに組み込んだ場合は、電子錠をＩＣタグインターフェースとして利用することも可能である。無線方式の場合は、つまり非接触式ＩＣタグの場合は、解除操作者は解除操作の度にＩＣタグ２０を当該ＩＣタグ用ターミナルに接触させる必要がないが、通信距離の制約があるため、ＩＣタグ２０をＩＣタグインターフェースに近接させて解除操作を行う必要がある。
【００２９】
解除システム記憶部３は、センサ１２の解除操作後の解除レベル、自動オンオフ制御の対象となるセキュリティ機器１３と家庭用機器１４の解除操作後のオンオフ設定状態、及び、解除操作手順を、解除許可者別、或いは、解除許可者別及び解除操作時の状況別に記憶している。ここで、解除レベルとは、各センサ１２のセキュリティ状態の検知機能が解除状態か動作状態かの別を意味する。従って、センサ１２をセキュリティ機器１３の一部と見做して、解除レベルを、センサ１２の解除操作後のオンオフ設定状態と把握できる。また、解除レベルは、個々のセンサ別、センサの種類別、或いは、センサの設置場所別に設定可能である。
【００３０】
また、センサ１２、セキュリティ機器１３及び家庭用機器１４の解除操作後のオンオフ設定状態の設定例を、例えば解除許可者が子供の場合について、図２に示す。また、解除操作手順の一例として、１）玄関扉を内側から施錠した後に解除操作を行う、２）上記１）の逆手順、３）夜間に玄関の照明を点灯させてから解除操作を行う、４）昼間でも玄関の照明を点灯させてから解除操作を行う、５）上記１）または２）と上記３）または４）との組み合わせ等が考えられる。また、解除操作手順は、上記一例に限定されるものではなく、また、解除許可者別に設定しても、複数の解除許可者に共通して設定しても構わない。
【００３１】
解除システム設定部４は、解除レベル、自動オンオフ制御の対象となるセキュリティ機器１３と家庭用機器１４の解除操作後のオンオフ設定状態、及び、解除操作手順の解除許可者別、或いは、解除許可者別及び解除操作時の状況別の設定入力データを受け付け、解除システム記憶部３に登録する。設定入力データは、コンピュータネットワーク１１に接続するセキュリティシステム１の管理用のパソコン１５から入力し、解除システム設定部４に出力する。解除システム設定部４は、例えば、各種設定入力の入力用画面データをＷＥＢ形式で管理用のパソコン１５に出力し、入力操作者は、管理用のパソコン１５の表示画面上に表示される当該ＷＥＢ画面から各種設定入力データの入力を行うことができる。設定入力データは、上記の方法に代えて、解除システム設定部４が設定入力用の専用のハードウェア（表示装置や入力キーパッド等）を備え、当該専用のハードウェアに対する設定入力データの入力操作を受け付けるようにしても構わない。
【００３２】
解除制御部５は、解除入力部２がＩＣタグ２０から受け付けた個人認証データＥに基づいて解除操作者が解除許可者であるか否かの第１照合処理を行い、解除操作者が解除許可者に合致した場合に、解除システム記憶部３に記憶されているセンサ１２の解除操作後の解除レベル、セキュリティ機器１３及び家庭用機器１４の解除操作後のオンオフ設定状態に基づいて、センサ１２、セキュリティ機器１３及び家庭用機器１４のオンオフ制御を行う。ここで、解除レベルとオンオフ設定状態が解除許可者別に設定されているので、上記第１照合処理で同定された解除許可者の解除レベルとオンオフ設定状態に応じた各機器のオンオフ制御を行う。
【００３３】
但し、解除制御部５は、解除システム記憶部３に解除操作手順が登録されているかの確認を行い、解除操作手順が登録されている場合は、解除システム記憶部３に登録されている解除操作手順と解除操作検出部６が検出した解除操作者による解除操作手順を照合する第２照合処理を行い、両解除操作手順が合致した場合に、上記第１照合処理で同定された解除許可者の解除レベルとオンオフ設定状態に応じた各機器のオンオフ制御を行う。逆に、第２照合処理において、両解除操作手順が合致しない場合は、解除制御部５は、解除許可者でない解除操作者によって不当に解除操作がなされた、或いは、解除許可者が第三者に強制されて不当に解除操作がなされたと判定して、異常状態検知部８に対して異常解除検知信号Ｆを外部に自動発信するように指示を出す。
【００３４】
解除操作検出部６は、セキュリティ機器１３及び家庭用機器１４の内の解除操作手順の判定に関係する特定機器に対する解除操作者の操作タイミングと、解除操作タイミングの前後関係を検出する。例えば、上記特定機器として、セキュリティ機器１３の玄関扉の電気錠と玄関の照明機器を想定した場合、解除操作検出部６は、当該電気錠に対する施錠または開錠操作と当該照明機器に対するオンまたはオフ操作のタイミングを夫々検知する。解除操作タイミングは、解除入力部２から個人認証入力時に個人認証入力があった旨の信号を受け取る。解除操作検出部６は、例えば、これら３つの操作タイミングの検出時刻データＧを解除制御部５に出力する。解除制御部５は、入力された検出時刻データＧが、解除システム記憶部３に解除操作手順に登録されている上記３つの操作タイミングの前後関係の条件に合致しているかを判定して第２照合処理を実行する。
【００３５】
センサインターフェース部７は、各センサ１２との間で所定の通信プロトコルでデータ送受信を行い、各センサ１２の発信する状態信号Ｓを受信して、異常状態検知部８に転送する。
【００３６】
異常状態検知部８は、センサインターフェース部７を介して各センサ１２から受信した状態信号Ｓを解析し、各センサ１２が監視するセキュリティ状態の少なくとも１つにおいて異常を検知した場合に、当該異常状態を外部に報知するための異常状態検知信号Ｄを生成し、通信インターフェース部９に出力する。
【００３７】
通信インターフェース部９は、外部受信装置３０，３１に対して、通信回線２１を利用して、インターネット２２を介して異常状態検知信号Ｄを送信する等の種々のデータ送受信を行う。通信回線２１として、有線通信回線と無線通信回線の２通りが利用可能である。図１では、有線通信回線の場合を想定した記載となっている。通信回線２１は、有線通信回線の場合、アナログ或いはデジタルの公衆電話回線や光ファイバによる高速データ通信回線が想定され、通信回線２１と通信インターフェース部９の間には、通信回線２１の通信方式に適合したモデム、ルータ、ハブ等の中継機器１６が存在する。尚、通信インターフェース部９がモデム等を内蔵する形態であっても構わない。
【００３８】
通信回線２１が無線通信回線の場合、ＰＨＳ回線や特定小電力無線等の利用を想定する。本実施形態では、通信インターフェース部９は、無線通信回線の無線親機との間で無線データ通信を行い、無線親機は中継局を介してインターネット２２に接続する。他の実施形態として、無線親機から有線通信回線に切り替えて、インターネット２２に接続するようにしても構わない。
【００３９】
外部受信装置３０，３１としては、セキュリティシステム１を管理する警備会社のサーバ装置３０、セキュリティシステム１の利用者が外部で使用可能なデータ通信機能を備えた携帯電話等のユーザ端末３１を想定する。
【００４０】
本発明装置１０は、コンピュータシステムとして構成され、解除制御部５及び異常状態検知部８は、本発明装置１０を構成するコンピュータとそのハードウェア上で実行されるソフトウェアで構成されている。また、解除入力部２、解除システム設定部４、解除操作検出部６、センサインターフェース部７、通信インターフェース部９は、夫々のデータ通信を物理的に実行するハードウェアと、夫々の通信処理をソフトウェア的に実行するための通信ソフトウェアを備えて構成される。尚、センサインターフェース部７は、物理的なレベルでの通信でデータ送受信可能な場合は、必ずしも通信ソフトウェアを具備する必要はない。解除システム記憶部３は、本発明装置１０を構成するコンピュータに内蔵される記憶装置の一部を利用して形成される。
【００４１】
次に、解除操作者がセキュリティシステム１の解除操作を行った場合の本発明装置１０が行う処理手順の一例について、図３に示すフローチャートを参照しながら説明する。
【００４２】
解除操作者がセキュリティシステム１の解除操作を、ＩＣタグ２０を用いて行うと、ステップ＃１において、第１照合処理が実行される。具体的には、解除入力部２がＩＣタグ２０から個人認証データＥを受信して解除制御部５に転送し、解除制御部５が、個人認証データＥが予め登録された解除許可者の個人認証データと一致するか、つまり、解除操作者が解除許可者か否かを判定する。
【００４３】
ステップ＃１の第１照合処理で、解除操作者が解除許可者でないと判定された場合は、当該解除操作を無効化して（ステップ＃２）、何らの解除操作を実行せずに処理を終了する。
【００４４】
ステップ＃１の第１照合処理で、解除操作者が解除許可者であると判定された場合は、ステップ＃３において、解除制御部５が、解除システム記憶部３に解除操作手順が登録されているかの確認を行う。
【００４５】
解除操作手順が登録されていない場合は、解除制御部５が、ステップ＃４において、解除システム記憶部３に記憶されている第１照合処理で同定された解除許可者に対して設定されている解除レベルを読み出し、当該解除レベルに該当するセンサ１２に対してのみその検知機能を解除する。引き続き、解除制御部５が、ステップ＃５において、解除システム記憶部３に記憶されている第１照合処理で同定された解除許可者に対して後述する解除操作時の状況に関係なく設定されている機器のオンオフ設定状態に基づいて、セキュリティ機器１３及び家庭用機器１４のオンオフ制御を行う。
【００４６】
引き続き、解除制御部５が、ステップ＃６において、解除システム記憶部３に記憶されている第１照合処理で同定された解除許可者に対して、解除操作時の状況を実行条件として設定されている機器のオンオフ設定状態に基づいて、セキュリティ機器１３及び家庭用機器１４のオンオフ制御を行い、処理を終了する。図４に、解除操作時の状況及びその実行条件の一例を示す。解除システム記憶部３に、例えば図４に示すような解除操作時の状況及びその実行条件で機器別にオンオフ設定状態が記憶されている場合、解除制御部５は、各状況について実行条件が満足されているか否かの判定を行い、実行条件が満足されている機器についてのみ対応するオンオフ設定状態へのオンオフ制御を実行する。
【００４７】
ステップ＃３における確認の結果、解除操作手順が登録されている場合は、ステップ＃７において、第２照合処理が実行される。具体的には、解除操作検出部６が、セキュリティ機器１３及び家庭用機器１４の内の解除操作手順の判定に関係する特定機器に対する解除操作者の操作タイミングと、解除操作タイミングを検出し、これらの前後関係が分かるように各操作タイミングの検出時刻データＧを解除制御部５に出力する。解除制御部５は、各操作タイミングの検出時刻データＧに基づいて、解除操作者の解除操作手順が、解除システム記憶部３に登録されている解除操作手順に合致しているかの判定を行う。例えば、設定されている解除操作手順が、玄関扉の電子錠を開錠した後に内側から施錠してから、解除操作を行う場合において、検出時刻データＧに基づく玄関扉を内側から施錠する操作が、解除操作より後になっている場合は、解除操作手順が設定通りでないと判定される。
【００４８】
ステップ＃７の第２照合処理で、解除操作手順が設定通りであると判定された場合は、ステップ＃４のセキュリティ解除処理、ステップ＃５と＃８のオンオフ制御を実行して、処理を終了する。
【００４９】
ステップ＃７の第２照合処理で、解除操作手順が設定通りでないと判定された場合は、ステップ＃８において、解除制御部５は、解除許可者でない解除操作者によって不当に解除操作がなされたか、或いは、解除許可者が第三者に強制されて不当に解除操作がなされたと判定して、異常状態検知部８に対して異常解除検知信号Ｆを外部に自動発信するように指示を出し、異常状態検知部８が異常解除検知信号Ｆを発信する。
【００５０】
〈第２実施形態〉
次に、本発明装置１０の第２実施形態について説明する。第２実施形態では、解除制御部５が行う処理が、第１実施形態と僅かに異なるだけで、本発明装置１０の構成は、第１実施形態と全く同じである。
【００５１】
第２実施形態における、解除操作者の解除操作に対する本発明装置１０が行う処理手順について、図５に示すフローチャートを参照しながら説明する。
【００５２】
図３に示す第１実施形態の処理手順とは、ステップ＃７の第２照合処理で、解除操作手順が設定通りでないと判定された場合の処理が異なる。即ち、図３に示す第１実施形態のステップ＃８の処理に代えて、第２実施形態では、ステップ＃９〜ステップ＃１１の各処理を実行する。また、第２実施形態では、解除操作者が解除操作に使用するＩＣタグ２０として接触式ＩＣタグを想定している。ステップ＃１〜ステップ＃７の各処理は図３に示す第１実施形態の処理手順と同じであるので、重複する説明は割愛する。
【００５３】
ステップ＃７の第２照合処理で、解除操作手順が設定通りでないと判定された場合、つまり解除操作者の解除操作手順が、解除システム記憶部３に登録されている解除操作手順に合致していない場合は、ステップ＃９において、ＩＣタグ２０と解除入力部２との接触状態が接触開始から予め設定された所定時間以内（例えば、５秒以内）に解除された否か、つまり、ＩＣタグ２０が解除入力部２から取り外されたか否かを確認する。ＩＣタグ２０と解除入力部２との接触状態が所定時間以内に解除された場合は、解除許可者が第三者に強制されて不当に解除操作がなされた、例えば、押入り強盗が入ったと判定して、ステップ＃１０において、異常状態検知部８に対して異常解除検知信号Ｆを外部に自動発信するように指示を出し、異常状態検知部８が異常解除検知信号Ｆを発信するとともに、玄関扉の電子錠を開錠する。これにより、解除操作を行った被害者（解除許可者）が、開錠操作をすることなく屋外に退避することができる。
【００５４】
また、ステップ＃９において、ＩＣタグ２０と解除入力部２との接触状態が所定時間以内に解除されなかった場合は、解除許可者でない解除操作者によって不当に解除操作がなされたと判定して、ステップ＃１１において、異常状態検知部８に対して異常解除検知信号Ｆを外部に自動発信するように指示を出し、異常状態検知部８が異常解除検知信号Ｆを発信する。
【００５５】
第２実施形態では、解除操作手順が設定通りでない場合に、更に、その解除操作行為が、解除許可者でない第三者によるものか、或いは、第三者に強制された解除許可者によるものかを識別でき、より適切な対応を取ることが可能となる。
【００５６】
以下に、別の実施形態につき説明する。
【００５７】
〈１〉上記各実施形態において、解除入力部２に対する個人認証入力にＩＣタグ２０を用いる場合を想定して説明したが、個人認証入力をＩＣタグ２０に代えて、或いは、追加して指紋認証等のバイオメトリクス技術を用いても構わない。また、個人認証入力をＩＣタグ２０に代えて、或いは、追加して解除入力部２に設けられたキーパッドから個人認証用の暗証番号入力を行うようにしても構わない。
【００５８】
〈２〉上記各実施形態において、図３または図５に示すステップ＃７の第２照合処理で、解除操作検出部６は、セキュリティ機器１３及び家庭用機器１４の内の解除操作手順の判定に関係する特定機器に対する解除操作者の操作タイミングと、解除操作タイミングを検出した際に、これらの前後関係が分かるデータとして、各操作タイミングの検出時刻データＧに代えて、各操作の順番を示すデータを解除制御部５に出力するようにしても構わない。
【００５９】
〈３〉上記各実施形態において、解除システム設定部４は、解除レベル、自動オンオフ制御の対象となるセキュリティ機器１３と家庭用機器１４の解除操作後のオンオフ設定状態を、解除許可者別、或いは、解除許可者別及び解除操作時の状況別に設定し、解除システム記憶部３に登録する場合を説明したが、解除レベル及びオンオフ設定状態の何れか一方については、解除許可者や解除操作時の状況に関係なく一様に設定しても構わない。
【００６０】
〈４〉上記各実施形態において、図３または図５に示すステップ＃７の第２照合処理は省略可能である。第２照合処理が省略される場合は、本発明装置１０の解除操作検出部６は不要となり、解除制御部５は、図３に示すステップ＃７及び＃８の処理、または、図５にステップ＃７及び＃９〜＃１１の処理を実行する必要がなくなる。
【００６１】
〈５〉本発明装置１０では、複数の居住者が存在する場合は、各居住者が帰宅時に解除操作者となって上述の解除操作を行うことを想定している。ここで、解除操作者は、自分が何番目の帰宅者か、或いは、現状のセキュリティ解除レベルがどのようになっているかを知ることができれば、解除操作前に他の緊急の用事を済ませる等の処理が可能となる。従って、解除入力部２の当該情報を表示する表示部を設けるようにするのも好ましい実施の形態である。
【００６２】
〈６〉上記各実施形態において、解除システム記憶部３は本発明装置１０内に設ける形態を説明したが、解除システム記憶部３に記憶する解除許可者別の情報の一部または全部は、各解除許可者が所持するＩＣタグ２０内に記憶して、解除操作時の個人認証データとともに解除入力部２から読み込むようにしても構わない。
【００６３】
〈７〉上記各実施形態において、本発明装置１０と、１または複数のセンサ１２、１または複数のセキュリティ機器１３、または、１または複数の家庭用機器１４との間の信号経路としてＬＡＮ等のコンピュータネットワーク１１を例示したが、センサ１２との間の状態信号Ｓの受信、または、その他の送受信は、他の形態の信号経路を用いても構わない。
【００６４】
〈８〉上記各実施形態において、本発明装置１０と外部受信装置３０，３１の間でインターネット２２を介してデータ送受信を行う形態を例示したが、通信回線２１を利用する場合に、インターネット２２を介さずに、夫々専用データ通信路を確立してデータ送受信を行う形態であっても構わない。
【図面の簡単な説明】
【００６５】
【図１】本発明に係るセキュリティシステムの制御装置の一実施形態を示すブロック図
【図２】本発明に係るセキュリティシステムの制御装置における、センサ、セキュリティ機器及び家庭用機器の解除操作前後のオンオフ設定状態の設定例を示す表
【図３】本発明に係るセキュリティシステムの制御装置による解除操作処理手順の一例を示すフローチャート
【図４】本発明に係るセキュリティシステムの制御装置における、セキュリティ機器及び家庭用機器に対する解除操作時の状況分類、実行条件、オンオフ設定状態の設定例を示す表
【図５】本発明に係るセキュリティシステムの制御装置による解除操作処理手順の他の一例を示すフローチャート
【符号の説明】
【００６６】
１：    セキュリティシステム
２：    解除入力部
３：    解除システム記憶部
４：    解除システム設定部
５：    解除制御部
６：    解除操作検出部
７：    センサインターフェース部
８：    異常状態検知部
９：    通信インターフェース部
１０：  本発明システムに係るセキュリティシステムの制御装置
１１：  コンピュータネットワーク
１２：  センサ
１３：  セキュリティ機器
１４：  家庭用機器
１５：  パソコン
１６：  中継機器
２０：  ＩＣタグ
２１：  通信回線
２２：  インターネット
３０：  外部受信装置（サーバ装置）
３１：  外部受信装置（ユーザ端末）
Ｓ：    状態信号
Ｄ：    異常状態検知信号
Ｅ：    個人認証データ
Ｆ：    異常解除検知信号
Ｇ：    検出時刻データ
【図１】
2006024052.tif 000003
【図２】
2006024052.tif 000004
【図３】
2006024052.tif 000005
【図４】
2006024052.tif 000006
【図５】
2006024052.tif 000007